(57)【要約】【課題】読取動作の終了後にユーザによる原稿の取り忘れを防ぐための構成を簡易に実現する画像形成装置を提供する。【解決手段】原稿に対して実行される処理として複写処理が指定されたか否かを判定する。複写処理が指定されたと判定された場合に、読取が行われた原稿が除去されたかを判定し、複写処理が指定されていないと判定されていない場合には、読取が行われた原稿が除去されたか否かを判定しない。また、原稿が除去されたと判定された場合に、読取により生成された画像データに基づき画像を出力する。【選択図】図４
2016063260.tif 000002
【特許請求の範囲】
【請求項１】
原稿に対して実行される処理として複写処理が指定されたか否かを判定する第１の判定手段と、
前記原稿を光学的に読み取って画像データを生成する読取手段と、
前記第１の判定手段により前記複写処理が指定されたと判定された場合に、前記読取手段による読取が行われた前記原稿が除去されたか否かを判定し、前記第１の判定手段により前記複写処理が指定されていないと判定された場合に、前記読取手段による読取が行われた前記原稿が除去されたか否かを判定しない第２の判定手段と、
前記第２の判定手段により前記原稿が除去されたと判定された場合に、前記読取手段により生成された前記画像データに基づき画像を出力する制御手段と、
を備えることを特徴とする画像形成装置。
【請求項２】
前記画像データに基づいて記録媒体に前記画像を記録する記録手段、をさらに備え、
前記制御手段は、前記第２の判定手段により前記原稿が除去されたと判定された場合に、前記記録手段により前記画像が記録された前記記録媒体を出力し、前記第２の判定手段により前記原稿が除去されていないと判定された場合に、前記記録手段により前記画像が記録された前記記録媒体を出力しないことを特徴とする請求項１に記載の画像形成装置。
【請求項３】
前記読取手段は、原稿台ガラス上に置かれた原稿を走査して読み取り、
前記第２の判定手段は、前記原稿台ガラスを覆うカバーの操作の検出により、前記原稿が除去されたと判定することを特徴とする請求項１又は２に記載の画像形成装置。
【請求項４】
前記読取手段は、給紙部から給紙され読取位置上を搬送される前記原稿を読み取り、
前記第２の判定手段は、前記読取手段による読取が行われた前記原稿が排紙される排紙部における前記原稿の有無の検出結果に基づいて、前記原稿が除去されたと判定することを特徴とする請求項１又は２に記載の画像形成装置。
【請求項５】
前記画像形成装置の所定のモードの設定を受け付ける受付手段、をさらに備え、
前記受付手段により前記所定のモードの設定を受け付けた場合に、前記第２の判定手段は、前記読取手段による読取が行われた前記原稿が除去されたか否かを判定する、ことを特徴とする請求項１乃至４のいずれか１項に記載の画像形成装置。
【請求項６】
前記所定のモードは、セキュリティを保護するためのモードであることを特徴とする請求項５に記載の画像形成装置。
【請求項７】
前記原稿に対して実行される処理として、前記原稿の読取データを外部に送信する処理が指定された場合に、前記第１の判定手段は、前記複写処理が指定されていないと判定することを特徴とする請求項１乃至６のいずれか１項に記載の画像形成装置。
【請求項８】
原稿を光学的に読み取って画像データを生成する読取手段を備える画像形成装置において実行される制御方法であって、
原稿に対して実行される処理として複写処理が指定されたか否かを判定する第１の判定工程と、
前記第１の判定工程において前記複写処理が指定されたと判定された場合に、前記読取手段による読取が行われた前記原稿が除去されたか否かを判定し、前記第１の判定工程において前記複写処理が指定されていないと判定された場合に、前記読取手段による読取が行われた前記原稿が除去されたか否かを判定しない第２の判定工程と、
前記第２の判定工程において前記原稿が除去されたと判定された場合に、前記読取手段により生成された前記画像データに基づき画像を出力する制御工程と、
を有することを特徴とする制御方法。
【請求項９】
請求項８に記載の制御方法の各工程をコンピュータに実行させるためのプログラム。
【発明の詳細な説明】
【技術分野】
【０００１】
本発明は、複写機能、ファクスなどの画像送信機能を有する画像形成装置、制御方法およびプログラムに関する。
【背景技術】
【０００２】
オペレータが複写機などの原稿読取部を備えた画像形成装置に原稿をセットし、複写処理等を実行した際、処理完了後に原稿を取り忘れてしまい、そのまま原稿が置き去りにされてしまうケースがあった。従来より、複写処理などが終了した後、所定時間が経過しても原稿が取り除かれない時には警告音を発して原稿の取り忘れをオペレータに報知する複写機が知られている。特許文献１には、処理動作が終了した後に原稿と対応する記録紙が取り除かれているのにも関わらず、原稿が取り除かれないまま所定時間が経過した場合に警告信号を発する構成が記載されている。また、特許文献２には、読取動作が終了した後、ＡＤＦユニットのヒンジ部をモータ駆動で自動で開く構成が記載されている。
【先行技術文献】
【特許文献】
【０００３】
【特許文献１】特開平１２−２５０３６１号公報
【特許文献２】特開２０１０−２１９９８１号公報
【発明の概要】
【発明が解決しようとする課題】
【０００４】
しかしながら、警告音等による注意喚起では、オペレータが難聴者の場合やヘッドフォンで音楽を聴いている場合に気付かずに印刷物を取り、原稿を取り除かないままその場を離れてしまう可能性がある。また、自動的にＡＤＦが開く構成の場合、原稿の取り忘れは防ぐことが出来るが、装置が複雑な構成になってしまう。
【０００５】
また、複写処理の場合、オペレータは印刷物を受け取ったことで作業が終わったと思うため、原稿を取り忘れる可能性が、ファクス機能や原稿画像を取り込むだけの送信機能に比べて高い。ファクス機能や原稿画像を取り込むだけの送信機能を使用する場合、原稿を取らないと手ぶらで装置を離れることになるので、原稿を取り忘れる可能性は低いと考えられる。
【０００６】
本発明の目的は、このような従来の問題点を解決することにある。本発明は、上記の点に鑑み、原稿に対して行われる処理が複写処理であるか、若しくはそれ以外の処理であるかを判別し、複写処理である場合に、読取動作の終了後にユーザによる原稿の取り忘れを防ぐための構成を簡易に実現する画像形成装置、制御方法およびプログラムを提供することを目的とする。
【課題を解決するための手段】
【０００７】
上記課題を解決するため、本発明に係る画像形成装置は、原稿に対して実行される処理として複写処理が指定されたか否かを判定する第１の判定手段と、前記原稿を光学的に読み取って画像データを生成する読取手段と、前記第１の判定手段により前記複写処理が指定されたと判定された場合に、前記読取手段による読取が行われた前記原稿が除去されたか否かを判定し、前記第１の判定手段により前記複写処理が指定されていないと判定された場合に、前記読取手段による読取が行われた前記原稿が除去されたか否かを判定しない第２の判定手段と、前記第２の判定手段により前記原稿が除去されたと判定された場合に、前記読取手段により生成された前記画像データに基づき画像を出力する制御手段と、を備えることを特徴とする。
【発明の効果】
【０００８】
本発明によれば、読取動作の終了後にユーザによる原稿の取り忘れを防ぐための構成を簡易に実現することができる。
【図面の簡単な説明】
【０００９】
【図１】画像形成装置の外観を示す図である。
【図２】自動原稿給紙装置の構成を示す図である。
【図３】制御系のブロック構成を示す図である。
【図４】記録制御処理を示すフローチャートである。
【図５】Ｓ４０４において表示されるメッセージを示す図である。
【図６】記録制御処理を示す他のフローチャートである。
【図７】Ｓ６０１において表示される選択画面を示す図である。
【図８】記録制御処理を示す他のフローチャートである。
【発明を実施するための形態】
【００１０】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１１】
図１は、画像形成装置の外観を示す図である。本実施形態において、画像形成装置として、例えば、読取機能と印刷機能とを備える複写機が用いられる。画像形成装置１００は、画像読取装置１０４と画像形成部１１２を有する。画像読取装置１０４は、筐体の天面に位置した透明ガラスである原稿台ガラス１０１及び原稿スケール１０２が設置された原稿台１０３の下部に位置し、図２の原稿読取部２１１として、原稿画像を光学的に読み取る照明光学系及び撮像素子を備えている。画像形成部１１２は、画像読取装置１０４の下部に位置し、給紙カセット１０５と、画像データにより変調されたレーザ光に基づく感光体ドラムに対する帯電、露光、現像などの画像形成プロセスを実行する画像形成プロセス処理部とを備えている。また、画像形成部１１２は、給紙カセット１０５から給紙され、画像形成プロセス処理部で形成されたトナー画像が転写されたシートを定着する定着処理部を備えている。画像形成プロセス処理部は、上記のような電子写真記録方式ではなく、例えば、記録ヘッドに搭載されたノズルからインク滴を記録媒体上に吐出して記録を行うインクジェット記録方式により記録を行う構成でも良い。
【００１２】
原稿台１０３には、原稿台ガラス１０１に載置された原稿を押圧する原稿カバー１０６がヒンジ機構１０８により開閉自在に取付けられ、且つ、原稿カバー１０６の開状態または閉状態を検出するための原稿カバー開閉検出スイッチ１０７が設けられている。また、原稿カバー１０６は、図２に示すような、原稿を自動で給紙して搬送させる自動原稿給紙装置（ＡＤＦ：ＡｕｔｏＤｏｃｕｍｅｎｔＦｅｅｄｅｒ）である場合もある。その場合、ＡＤＦは、原稿台１０３の上部にヒンジ開閉式で取り付けられる。ＡＤＦによる原稿搬送において、トレイ２０１上の原稿は、ピックアップローラ２０２により１枚ずつピックアップされる。ピックアップローラ２０２によりピックアップされた原稿は、原稿検知スイッチ２０３により検知された後、給紙ローラ２０４により内部に給紙される。給紙ローラ２０４により給紙された原稿は、レジストローラ２０６の手前に到達する。
【００１３】
レジスト前スイッチ２０５は、レジストローラ２０６の手前に到達したことを検知するセンサであり、レジストローラ２０６は、原稿を所定の原稿読取位置まで搬送するためのローラである。即ち、給紙ローラ２０４により給紙された原稿は、レジスト前スイッチ２０５によりレジストローラ２０６の手前に到達したことが検知され、所定のタイミングでレジストローラ２０６により原稿読取位置に搬送される。また、レジストローラ２０６と原稿読取位置との間には、レジストローラ２０６から原稿読取位置への原稿の搬送を補助する補助ローラ２０７が設けられている。レジストローラ２０６により原稿読取位置上に搬送された原稿は、ＡＤＦ２００に隣接する原稿読取部２１１により読み取られる。また、読取が終了した原稿は、排紙部に排紙される。排紙された原稿は、排紙口の原稿有無の検出結果を示す信号を出力するセンサ２１０により検出される。例えば、センサ２１０が原稿の存在を示す信号を出力し（ハイレベル）、その後、原稿の存在を示す信号を出力しなくなった（ローレベル）場合に、その信号のレベル変化により、原稿が取り除かれたと判定される。
【００１４】
原稿読取部２１１の構成について説明する。原稿読取部２１１は、光源２１３を備えた走査ユニット２１２を含む。走査ユニットは、副走査方向（図面中、左右方向）に移動可能であり、原稿台１０３上にセットされた原稿を読み取る場合には、副走査方向に移動しながら読取を行う。ここで、副走査方向と交差する方向を主走査方向と呼ぶ。また、ＡＤＦからの給紙された原稿を読み取る場合には、走査ユニット２１２は、図２に示す位置に停止し、読取位置上を搬送される原稿を読み取る。
【００１５】
原稿からの反射光は、ミラー２１４〜２１６を含む光学系により、集光レンズ２１７を介してイメージセンサ２１８まで導かれる。図２においては、ＣＣＤ読取方式の原稿読取部２１１が示されているが、ミラー２１４〜２１６がない構成であるＣＩＳ読取方式の構成であっても良い。
【００１６】
画像読取装置１０４の正面には、操作パネル１１１が設けられている。操作パネル１１１は、キー入力部１０９と表示部１１０を含む。キー入力部１０９は、複写（コピー）などのジョブの種類を選択するためのモード選択キーを含む。また、キー入力部１０９は、用紙サイズ、露光レベル、枚数など画像形成プロセス条件を選択するためのプロセス条件選択キーと、ジョブの開始を指示するプリントキーなどの各種機能が割付けられたキーとを含む。また、表示部１１０は、キー入力部１０９の入力状態や、オペレータ（ユーザ）へのメッセージ、設定画面などを表示する液晶パネルを含む。
【００１７】
図３は、複写機１００の制御系のブロック構成を示す図である。複写機１００の制御系には、第１制御部３００と第２制御部３０１が含まれる。第１制御部３００は、メインＣＰＵ３０２、ＲＯＭ３０３、ＲＡＭ３０４、画像入出力バッファ３０５を含む。第２制御部３０１は、システムＣＰＵ３０６、ＲＯＭ３０７、ＲＡＭ３０８、第１入出力バッファ３０９、第２入出力バッファ３１０を含む。メインＣＰＵ３０２は、例えば、画像読取装置１０４により読み取られて生成された原稿読取データや、不図示の通信ラインを介して外部のホストコンピュータ等から入力された画像データに対する入出力変換処理を実行する。入出力変換処理とは、原稿読取データや画像データ（以下、原稿読取データを代表例とする）を画像形成プロセス処理部で処理可能なデータに変換するための画像処理であり、例えば、色空間変換処理やガンマ補正処理である。ＲＯＭ３０３は、メインＣＰＵ９１の実行プログラムを記憶し、ＲＡＭ３１１は、原稿読取データを記憶する。画像入出力バッファ３０５は、画像読取装置１０４により読み取られた原稿読取データなどを入力するとともに、メインＣＰＵ３０２で入出力変換処理された原稿読取データを画像形成プロセス処理部に出力する。メインＣＰＵ３０２〜画像入出力バッファ３０５は、内部バス３１１を介して相互に接続されている。
【００１８】
システムＣＰＵ３０６は、例えば、キー入力の受付処理、画像形成プロセス処理、メッセージ表示処理を実行する。ＲＯＭ３０７は、システムＣＰＵ３０６の実行プログラムを記憶し、ＲＡＭ３０８は、各種のプロセス制御データを記憶する。第１入出力バッファ３０９は、操作パネル１１１に設けられたキー入力部１０９からの操作情報や原稿カバー開閉検出スイッチ１０７からの検出信号を入力する入力ポートを含む。また、第１入出力バッファ３０９は、表示部１１０に表示されるメッセージ情報や、表示メッセージの拡大や点滅表示等といったメッセージ表示形態情報などを出力する出力ポートを含む。第２入出力バッファ３１０は、画像形成部の給紙／排紙系の駆動エレメント、露光用レーザ・帯電・ポリゴンモータなどの画像形成プロセス処理部のエレメントに対する駆動信号を出力する出力ポートを含む。また、第２入出力バッファ３１０は、ヒータなどの定着処理のエレメント、駆動系のエレメントに対する駆動信号を出力する出力ポートを含む。また、第２入出力バッファ３１０は、上記各エレメントからのプロセス情報などを入力する入力ポートを含む。システムＣＰＵ３０６〜第２入出力バッファ３１０は、内部バス３１２を介して相互に接続されている。
【００１９】
本実施形態の動作は例えば、メインＣＰＵ３０２がＲＯＭ３０３に記憶されたプログラムをＲＡＭ３０４に読み出して実行することで、又は、システムＣＰＵ３０６がＲＯＭ３０７に記憶されたプログラムをＲＡＭ３０８に読み出して実行することで実現される。若しくは、メインＣＰＵ３０２とシステムＣＰＵ３０６が協調することにより実現されても良い。以下、メインＣＰＵ３０２とシステムＣＰＵ３０６を総称して、単にＣＰＵと呼ぶ。
【００２０】
複写機１００における画像の記録（印刷）では、まず、原稿読取部２１１で読み取られた原稿読取データを画像入出力バッファ３０５から読込み、ＲＯＭ３０４に記憶された実行プログラムをメインＣＰＵ３０２が実行することにより所定の画像処理を実行する。画像処理は、例えば、色変換処理、ガンマ補正処理、記録ヘッドのノズル等に合わせたデータ変換処理、拡大縮小や回転処理である。そして、システムＣＰＵ３０６は、第２入出力バッファ３１０を介して画像プロセス処理部、画像形成部の各エレメントを駆動し、画像処理後の原稿読取データに基づいて画像を記録媒体上に形成して出力させる。
【００２１】
複写機１００において、システムＣＰＵ３０６がＲＯＭ３０７に記憶されている実行プログラムを実行することにより、第１入出力バッファ３０９に蓄積されているメッセージ情報や、メッセージ表示形態情報に従ったメッセージを表示部１１０に表示する。本実施形態においては、原稿台１０３の原稿台ガラス上１０１にセットされた原稿をユーザが取り忘れないように、表示部１１０に警告メッセージが表示される。システムＣＰＵ３０６は、第１入出力バッファ３０９への原稿カバー開閉検出スイッチ１０７からの検出信号や、画像入出力バッファ３０５へ入力される原稿読取データに応じて、メッセージ内容やメッセージの表示形態を変更可能である。
【００２２】
図４は、印刷制御処理を示すフローチャートである。Ｓ４０１において、ＣＰＵは、オペレータが原稿台ガラス１０１にセットしてスタートキーを押下した操作を検出する。Ｓ４０２において、ＣＰＵは、ユーザが複写処理を選択（指定）したか否かを判定する。ユーザが複写処理を選択した場合（Ｓ４０２のＹｅｓ）、Ｓ４０３において、ＣＰＵは、原稿台ガラス１０１にセットされた原稿画像を光学的に読み取るよう原稿読取部を制御する。Ｓ４０４において、ＣＰＵは、原稿台ガラス１０１上の原稿読取領域を読み取ると、原稿読取部による読取処理を終了する。
【００２３】
Ｓ４０５において、ＣＰＵは、操作パネル１１１の表示部１１０に、読取を終了した原稿を原稿台ガラス１０１上から除去することを促すメッセージを表示する。図５は、Ｓ４０５において表示されるメッセージの一例を示す図である。
【００２４】
Ｓ４０６において、ＣＰＵは、原稿カバー開閉検出スイッチ１０７からの検出信号により、原稿カバー１０６が開かれたか否かを判定する。ここで、開かれたと判定された場合には、Ｓ４０７において、ＣＰＵは、Ｓ４０５で表示されたメッセージを消去し、排紙部にコピーされた印刷物を出力する。つまり、本実施形態においては、原稿カバー１０６が開かれたということにより、ユーザが原稿を除去したと判定する。一方、開かれていないと判定された場合には、Ｓ４０６の処理を繰り返す。つまり、ＣＰＵは、Ｓ４０５で表示されたメッセージをそのまま継続して表示するとともに、印刷物の出力を行わない。
【００２５】
Ｓ４０２において、ユーザが複写処理を選択していない場合（ファクス処理などの送信機能を選択した場合）、Ｓ４０８において、ＣＰＵは、送信画像を得るためのスキャンを開始し、Ｓ４０９でスキャンが終了したら、Ｓ４１０でＣＰＵは画像を送信する。つまり、ＣＰＵは、複写処理を選択していない場合には、Ｓ４０６の判定処理を行わないように制御する。送信機能の場合は、ユーザが原稿を取り忘れる可能性が低いので、原稿が除去されたかどうかの判定を行わないようにし、画像形成処理の処理効率の低下を防いでいる。
【００２６】
図４に示す処理により、読取が行われた原稿が除去されたと判定された場合に、原稿読取データに基づいて印刷された用紙を出力し、原稿が除去されていないと判定された場合には、印刷された用紙を出力しない。そのような構成により、ユーザによる原稿の取り忘れを防ぐ構成を容易に実現することができる。以上では、ユーザが原稿を除去したと判定されると、記録媒体上への画像形成プロセスの実行を開始している。しかしながら、記録媒体上への画像形成プロセスまでは行っておき、印刷物の排紙処理を、ユーザが原稿を除去したと判定された後に行うようにしても良い。
【００２７】
図６は、印刷制御処理を示す他のフローチャートである。Ｓ６０１において、ＣＰＵは、操作パネル１１１の表示部１１０に、セキュリティ保護モードによりコピーを行うか、若しくは、セキュリティ保護をしないモードによりコピーを行うかをユーザに選択させる画面を表示する。図７は、Ｓ６０１において表示される選択画面の一例を示す図である。図７に示す「セキュリティ保護コピー」は、セキュリティ保護モードに対応し、「通常コピー」は、セキュリティ保護をしないモードに対応する。ＣＰＵは、上記のいずれのモードがユーザにより選択されたかを示す操作情報をＲＡＭ３０８等の記憶領域に保持する。Ｓ６０２〜Ｓ６０４は、図４のＳ４０１〜Ｓ４０３における説明と同じである。
【００２８】
Ｓ６０５において、ＣＰＵは、Ｓ６０１においてされたモードがセキュリティ保護モードであるか否かを判定する。ここで、セキュリティ保護モードであると判定された場合にはＳ６０６に進み、セキュリティ保護モードでない（図７の「通常コピー」）と判定された場合にはＳ６０８に進む。Ｓ６０８において、ＣＰＵは、通常のコピー動作に従って、原稿読取データに基づいて原稿画像の印刷処理を行う。
【００２９】
Ｓ６０６及び６０７は、Ｓ４０４及びＳ４０５における説明と同じである。Ｓ６０７の処理後は、上述のＳ６０８に進む。
【００３０】
図６に示すような処理を行うことにより、セキュリティ保護モードが設定された場合には、読取が行われた原稿が除去されたか否かの判定が行われる。そのような構成により、個人情報等、セキュリティを保護する必要がある情報を含む原稿の取り忘れを確実に防ぐことができる。
【００３１】
図８は、印刷制御処理を示す他のフローチャートである。Ｓ８０１〜Ｓ８０６は、図６のＳ６０１〜Ｓ６０６における説明と同じである。Ｓ８０６でＣＰＵが、操作パネル１１１の表示部１１０に、読取を終了した原稿を原稿台ガラス１０１上から取り除くことを促すメッセージを表示すると、Ｓ８０７に進む。
【００３２】
Ｓ８０７において、ＣＰＵは、原稿の読取が原稿台ガラス１０１上にセットされた原稿に対して行われた、いわゆる固定読みか否かを判定する。ここで、原稿台ガラス１０１上にセットされた原稿に対して行われなかった場合とは、例えば、ＡＤＦ（給紙部）により原稿が１枚ずつ原稿読取部の読取位置まで給紙されながら連続的に読み取る、いわゆる流し読みの場合である。Ｓ８０７で原稿の読取が原稿台ガラス１０１上にセットされた原稿に対して行われたと判定された場合にはＳ８０８に進み、原稿台ガラス１０１上にセットされた原稿に対して行われなかったと判定された場合にはＳ８０９に進む。Ｓ８０８及びＳ８１０は、図６の６０７及びＳ６０８における説明と同じである。
【００３３】
Ｓ８０９において、ＣＰＵは、センサ２１０からの検出信号により、ＡＤＦの排紙部における原稿の有無を判定する。ここで、原稿がないと判定された場合には、Ｓ８１０に進む。一方、原稿があると判定された場合には、Ｓ８０６の処理を繰り返す。つまり、ＣＰＵは、Ｓ８０６で表示されたメッセージをそのまま継続して表示するとともに、印刷物の出力を行わない。例えば、Ｓ８０９では、ＣＰＵは、センサ２１０からの検出信号が、原稿ありを示すレベルから原稿なしを示すレベルに変化したことを検出した場合に、原稿がないと判定する。
【００３４】
以上のように、本実施形態では、オペレータが原稿の読取りを行った後に原稿を画像形成装置に置き忘れることを確実に防ぐ構成を簡易に実現することができる。図４、図６、図８においては、Ｓ４０５、Ｓ６０７、Ｓ８０８の判定後に、印刷物の出力が行われる。ここでの印刷物の出力とは、記録媒体への画像の形成を行う記録処理を含んでも良い。若しくは、各ステップの判定前に、記録媒体への画像の形成（画像形成プロセス）を行っておき、判定後に出力を行うようにしても良い。
【符号の説明】
【００３５】
３０２  メインＣＰＵ、３０３  ＲＯＭ、３０４  ＲＡＭ、３０６  システムＣＰＵ、３０７  ＲＯＭ、３０８  ＲＡＭ
【図１】
2016063260.tif 000003
【図２】
2016063260.tif 000004
【図３】
2016063260.tif 000005
【図４】
2016063260.tif 000006
【図５】
2016063260.tif 000007
【図６】
2016063260.tif 000008
【図７】
2016063260.tif 000009
【図８】
2016063260.tif 000010